(57)【特許請求の範囲】
【請求項１】
移動通信システムの端末での信号の送受信方法において、
基地局から少なくとも１つのＳＣｅｌｌ（ｓｅｃｏｎｄａｒｙ  ｃｅｌｌ）のインデックスを含む第１メッセージを受信する段階と、
前記基地局から前記少なくとも１つのＳＣｅｌｌの活性化または非活性化を指示する情報を含む第２メッセージを受信する段階と、
前記第２メッセージに基づいて、前記少なくとも１つのＳＣｅｌｌを活性化または非活性化する段階とを含み、
前記少なくとも１つのＳＣｅｌｌのインデックスは”０”よりも大きい整数であり、
前記第２メッセージは１つ以上のビットを含み、前記１つ以上のビットに含まれた各ビットは、前記少なくとも１つのＳＣｅｌｌの活性化または非活性化を指示し、前記少なくとも１つのＳＣｅｌｌのインデックスは、前記１つ以上のビットに含まれた各ビットの位置に対応する
ことを特徴とする信号の送受信方法。
【請求項２】
前記第１メッセージは、
前記少なくとも１つのＳＣｅｌｌの物理的セル識別子（ｐｈｙｓｉｃａｌ  ｃｅｌｌ  ｉｄｅｎｔｉｆｉｃａｔｉｏｎ）及び前記少なくとも１つのＳＣｅｌｌのキャリア周波数（ｃａｒｒｉｅｒ  ｆｒｅｑｕｅｎｃｙ）の少なくとも１つを含む
ことを特徴とする請求項１に記載の信号の送受信方法。
【請求項３】
前記”０”はプライマリセル（ｐｒｉｍａｒｙ  ｃｅｌｌ）に対応する
ことを特徴とする請求項１に記載の信号の送受信方法。
【請求項４】
前記第２メッセージは、
前記少なくとも１つのＳＣｅｌｌの活性化または非活性化のための既に設定されたロジカルチャネル識別子（ｌｏｇｉｃａｌ  ｃｈａｎｎｅｌ  ｉｄｅｎｔｉｆｉｅｒ）に設定されたサブヘッダ（ｓｕｂｈｅａｄｅｒ）を含む
ことを特徴とする請求項１に記載の信号の送受信方法。
【請求項５】
移動通信システムの基地局での信号の送受信方法において、
少なくとも１つのＳＣｅｌｌ（ｓｅｃｏｎｄａｒｙ  ｃｅｌｌ）のインデックスを含む第１メッセージを端末に伝送する段階と、
前記少なくとも１つのＳＣｅｌｌの活性化または非活性化を指示する情報を含む第２メッセージを前記端末に伝送する段階と、
前記第２メッセージに基づいて、前記少なくとも１つのＳＣｅｌｌを活性化または非活性化する段階とを含み、
前記少なくとも１つのＳＣｅｌｌのインデックスは、”０”よりも大きい整数であり、
前記第２メッセージは１つ以上のビットを含み、前記１つ以上のビットに含まれた各ビットは、前記少なくとも１つのＳＣｅｌｌの活性化または非活性化を指示し、前記少なくとも１つのＳＣｅｌｌのインデックスは、前記１つ以上のビットに含まれた各ビットの位置に対応する
ことを特徴とする信号の送受信方法。
【請求項６】
前記第１メッセージは、
前記少なくとも１つのＳＣｅｌｌの物理的セル識別子（ｐｈｙｓｉｃａｌ  ｃｅｌｌ  ｉｄｅｎｔｉｆｉｃａｔｉｏｎ）及び前記少なくとも１つのＳＣｅｌｌのキャリア周波数（ｃａｒｒｉｅｒ  ｆｒｅｑｕｅｎｃｙ）の少なくとも１つを含む
ことを特徴とする請求項５に記載の信号の送受信方法。
【請求項７】
前記”０”はプライマリセル（ｐｒｉｍａｒｙ  ｃｅｌｌ）に対応する
ことを特徴とする請求項５に記載の信号の送受信方法。
【請求項８】
前記第２メッセージは、
前記少なくとも１つのＳＣｅｌｌの活性化または非活性化のための既に設定されたロジカルチャネル識別子（ｌｏｇｉｃａｌ  ｃｈａｎｎｅｌ  ｉｄｅｎｔｉｆｉｅｒ）に設定されたサブヘッダ（ｓｕｂｈｅａｄｅｒ）を含む
ことを特徴とする請求項５に記載の信号の送受信方法。
【請求項９】
移動通信システムの端末において、
信号を送受信する送受信部と、
基地局から少なくとも１つのＳＣｅｌｌ（ｓｅｃｏｎｄａｒｙ  ｃｅｌｌ）のインデックスを含む第１メッセージを受信するように前記送受信部を制御し、
前記基地局から前記少なくとも１つのＳＣｅｌｌの活性化または非活性化を指示する情報を含む第２メッセージを受信するように前記送受信部を制御し、
前記第２メッセージに基づいて、前記少なくとも１つのＳＣｅｌｌを活性化または非活性化する制御部とを含み、
前記少なくとも１つのＳＣｅｌｌのインデックスは、”０”よりも大きい整数であり、
前記第２メッセージは１つ以上のビットを含み、前記１つ以上のビットに含まれた各ビットは、前記少なくとも１つのＳＣｅｌｌの活性化または非活性化を指示し、前記少なくとも１つのＳＣｅｌｌのインデックスは、前記１つ以上のビットに含まれた各ビットの位置に対応する
ことを特徴とする端末。
【請求項１０】
前記第１メッセージは、
前記少なくとも１つのＳＣｅｌｌの物理的セル識別子（ｐｈｙｓｉｃａｌ  ｃｅｌｌ  ｉｄｅｎｔｉｆｉｃａｔｉｏｎ）及び前記少なくとも１つのＳＣｅｌｌのキャリア周波数（ｃａｒｒｉｅｒ  ｆｒｅｑｕｅｎｃｙ）の少なくとも１つを含む
ことを特徴とする請求項９に記載の端末。
【請求項１１】
前記”０”はプライマリセル（ｐｒｉｍａｒｙ  ｃｅｌｌ）に対応する
ことを特徴とする請求項９に記載の端末。
【請求項１２】
前記第２メッセージは、
前記少なくとも１つのＳＣｅｌｌの活性化または非活性化のための既に設定されたロジカルチャネル識別子（ｌｏｇｉｃａｌ  ｃｈａｎｎｅｌ  ｉｄｅｎｔｉｆｉｅｒ）に設定されたサブヘッダ（ｓｕｂｈｅａｄｅｒ）を含む
ことを特徴とする請求項９に記載の端末。
【請求項１３】
移動通信システムの基地局において、
信号を送受信する送受信部と、
少なくとも１つのＳＣｅｌｌ（ｓｅｃｏｎｄａｒｙ  ｃｅｌｌ）のインデックスを含む第１メッセージを端末に伝送するように前記送受信部を制御し、
前記少なくとも１つのＳＣｅｌｌの活性化または非活性化を指示する情報を含む第２メッセージを前記端末に伝送するように前記送受信部を制御し、
前記第２メッセージに基づいて、前記少なくとも１つのＳＣｅｌｌを活性化または非活性化する制御部とを含み、
前記少なくとも１つのＳＣｅｌｌのインデックスは、”０”よりも大きい整数であり、  前記第２メッセージは１つ以上のビットを含み、前記１つ以上のビットに含まれた各ビットは、前記少なくとも１つのＳＣｅｌｌの活性化または非活性化を指示し、前記少なくとも１つのＳＣｅｌｌのインデックスは、前記１つ以上のビットに含まれた各ビットの位置に対応する
ことを特徴とする基地局。
【請求項１４】
前記第１メッセージは、
前記少なくとも１つのＳＣｅｌｌの物理的セル識別子（ｐｈｙｓｉｃａｌ  ｃｅｌｌ  ｉｄｅｎｔｉｆｉｃａｔｉｏｎ）及び前記少なくとも１つのＳＣｅｌｌのキャリア周波数（ｃａｒｒｉｅｒ  ｆｒｅｑｕｅｎｃｙ）の少なくとも１つを含む
ことを特徴とする請求項１３に記載の基地局。
【請求項１５】
前記”０”はプライマリセル（ｐｒｉｍａｒｙ  ｃｅｌｌ）に対応する
ことを特徴とする請求項１３に記載の基地局。
【請求項１６】
前記第２メッセージは、
前記少なくとも１つのＳＣｅｌｌの活性化または非活性化のための既に設定されたロジカルチャネル識別子（ｌｏｇｉｃａｌ  ｃｈａｎｎｅｌ  ｉｄｅｎｔｉｆｉｅｒ）に設定されたサブヘッダ（ｓｕｂｈｅａｄｅｒ）を含む
ことを特徴とする請求項１３に記載の基地局。
【発明の詳細な説明】
【技術分野】
【０００１】
本発明は、移動通信システムで複数の順方向キャリア及び逆方向キャリアが集約された端末がキャリアを活性化する方法及び装置に関する。
【背景技術】
【０００２】
一般的に、移動通信システムは、ユーザの移動性を確保しながら通信を提供するための目的で開発された。このような移動通信システムは、技術の飛躍的な発展に力づけられ、音声通信はもちろん高速のデータ通信サービスを提供することができる段階に至っている。近年、次世代移動通信システム中の一つとして、３ＧＰＰでＬＴＥ（Ｌｏｎｇ  Ｔｅｒｍ  Ｅｖｏｌｕｔｉｏｎ）に対する規格作業が進められている。ＬＴＥは、２０１０年ごろの商用化を目指して、現在提供されているデータ送信率よりも高い最大１００Ｍｂｐｓ程度の送信速度を有する高速パケット基盤通信を実現する技術であり、現在規格化がほとんど完了した。ＬＴＥ規格完了に歩調をそろえて、最近ＬＴＥ通信システムに様々な新技術を組み合わせて送信速度をさらに向上させる進化したＬＴＥ通信システム（ＬＴＥ−Ａｄｖａｎｃｅｄ、ＬＴＥ−Ａ）に対する議論が本格化している。
【０００３】
新しく導入される技術のうち代表的なものとして、キャリア集約（Ｃａｒｒｉｅｒ  Ａｇｇｒｅｇａｔｉｏｎ）が挙げられる。キャリア集約とは、端末が多数のキャリアを利用してデータを送受信する技術である。より具体的に、端末は、集約されたキャリアの所定のセル、通常的に同一の基地局に属したセルを介してデータを送受信し、これは、結局端末が複数のセルを介してデータを送受信することと同一である。
【発明の概要】
【発明が解決しようとする課題】
【０００４】
ところが、上記のような移動通信システムにおいてキャリア集約は、端末に集約されるキャリア情報を伝達し（これをキャリア構成という）、今後適切な時点に構成されたキャリアを活性化する手続からなる。キャリア構成とキャリア活性化という二元化された手続を利用する理由は、集約された全てのキャリアに対するトランシーバーを常に駆動せずに、活性化したキャリアに対するトランシーバーだけを駆動することにより、端末のバッテリー消耗を最小化するためである。したがって、キャリア活性化の手続は、なるべく迅速に進められることが好ましい。また、頻繁なキャリアの活性化と非活性化が可能となるように制御情報によるシグナルオーバーヘッドを最小化することが好ましい。
【課題を解決するための手段】
【０００５】
前記課題を解決するための本発明に係る移動通信システムにおいて、受信機のキャリア活性化方法は、複数のキャリアを集約するための指示メッセージの受信時、前記指示メッセージの前記キャリア別識別子により前記キャリア別ビット位置を決める過程と、前記キャリア別状態を指示する状態ビットマップを含むキャリア状態メッセージの受信時、前記状態ビットマップで前記キャリア別ビット位置により前記キャリア別状態を把握する過程と、前記キャリア別状態により前記キャリアを活性化または非活性化させる過程と、を含むことを特徴とする。
【０００６】
また、前記課題を解決するための本発明に係る移動通信システムにおいて、送信機のキャリア活性化方法は、集約するための複数のキャリア識別子を示す指示メッセージを送信する過程と、前記キャリア別識別子に対応するビット位置で前記キャリア別状態を指示するための状態ビットマップを含むキャリア状態メッセージを送信する過程と、前記キャリア別状態により前記キャリアを活性化または非活性化させる過程と、を含むことを特徴とする。
【０００７】
また、前記課題を解決するための本発明に係る移動通信システムにおいて、受信機のキャリア活性化装置は、複数のキャリアを集約するための指示メッセージ及び前記キャリア別状態を指示する状態ビットマップを含むキャリア状態メッセージを受信するための送受信機と、前記指示メッセージの受信時、前記指示メッセージの前記キャリア別識別子により前記キャリア別ビット位置を決めるための制御メッセージ処理部と、前記指示メッセージの受信時に前記キャリアを集約し、前記状態メッセージの受信時に前記状態ビットマップで前記キャリア別ビット位置により前記キャリア別状態を把握し、前記キャリア別状態により前記キャリアを活性化または非活性化させるためのキャリア活性化制御部と、を含むことを特徴とする。
【０００８】
その上、前記課題を解決するための本発明に係る移動通信システムにおいて、送信機のキャリア活性化装置は、集約するための複数のキャリア識別子を示す指示メッセージ及び前記キャリア別識別子に対応するビット位置で前記キャリア別状態を指示するための状態ビットマップを含むキャリア状態メッセージを送信するための送受信機と、前記指示メッセージ及びキャリア状態メッセージを送信するように制御し、前記キャリア別状態により前記キャリアを活性化または非活性化させるための制御部と、を含むことを特徴とする。
【発明の効果】
【０００９】
本発明を適用すれば、キャリア活性化及び非活性化によるシグナルオーバーヘッドと、ＳＲＳ活性化及び非活性化によるシグナルオーバーヘッドとを最小化することができる。
【図面の簡単な説明】
【００１０】
【図１】ＬＴＥ移動通信システムの構造を示す図である。
【図２】ＬＴＥ移動通信システムのプロトコル構造を示す図である。
【図３】ＬＴＥ移動通信システムでキャリア集約を例示した図である。
【図４】ＬＴＥ移動通信システムでキャリアを集約して活性化する動作例を示す図である。
【図５】本発明の第１実施例に係る全体動作を示す図である。
【図６】順方向キャリア状態制御メッセージの一例を示す図である。
【図７】本発明の第１実施例に係る端末の動作を示す図である。
【図８】多数の順方向キャリアと多数の逆方向キャリア間の関係の一例を示す図である。
【図９】順方向キャリアと逆方向キャリアのスケジューリングの側面における関係の一例を示す図である。
【図１０】本発明の第２実施例に係る全体動作を示す図である。
【図１１】ＳＲＳリソース情報を含む順方向キャリア状態制御メッセージの一例を示す図である。
【図１２】本発明の第２実施例に係る端末の動作を示す図である。
【図１３】本発明の第３実施例に係る端末の動作を示す図である。
【図１４】本発明の第３実施例に係る端末の他の動作を示す図である。
【図１５】本発明の第４実施例に係る端末の動作を示す図である。
【図１６】本発明の第４実施例に係る端末の他の動作を示す図である。
【図１７】本発明の第１〜第４実施例に係る端末装置の構造を示す図である。
【図１８】順方向キャリアと逆方向キャリアの関連関係の例を示す図である。
【図１９】本発明の第５実施例に係る全体動作を示す図である。
【図２０】本発明の第５実施例に係る端末の動作を示す図である。
【図２１】本発明の第５実施例に係る端末装置の構造を示す図である。
【図２２】本発明の第６実施例に係る全体動作を示す図である。
【図２３】本発明の第６実施例に係る端末の動作を示す図である。
【発明を実施するための形態】
【００１１】
以下、添付された図面を参照して本発明の実施例をより詳細に説明する。このとき、添付された図面で同一の構成要素は、なるべく同一の符号で示していることに留意しなければならない。また、本発明の要旨を不明瞭にする公知機能および構成に対する詳細な説明は、省略する。
【００１２】
本発明は、複数のキャリアが集約された端末がキャリアを活性化する方法及び装置に関する。また、本発明は、逆方向チャネル推定信号（Ｓｏｕｎｄｉｎｇ  Ｒｅｆｅｒｅｎｃｅ  Ｓｉｇｎａｌ、ＳＲＳ）の送信を制御する方法及び装置に関する。
【００１３】
本発明を本格的に説明するに先立ち、図１、図２及び図３を通じてＬＴＥ移動通信システムについて、さらに詳しく説明する。
【００１４】
図１は、ＬＴＥ移動通信システムの構造を示す図である。
前記図１を参照すれば、ＬＴＥ移動通信システムの無線アクセスネットワークは、次世代基地局１０５，１１０，１１５，１２０（Ｅｖｏｌｖｅｄ  Ｎｏｄｅ  Ｂ、以下、ＥＮＢまたはＮｏｄｅ  Ｂという）、ＭＭＥ１２５（Ｍｏｂｉｌｉｔｙ  Ｍａｎａｇｅｍｅｎｔ  Ｅｎｔｉｔｙ）、及びＳ−ＧＷ１３０（Ｓｅｒｖｉｎｇ−Ｇａｔｅｗａｙ）から構成される。ユーザ端末１３５（Ｕｓｅｒ  Ｅｑｕｉｐｍｅｎｔ、以下、ＵＥと称する）は、ＥＮＢ１０５，１１０，１１５，１２０及びＳ−ＧＷ１３０を通じて外部ネットワークに接続する。
【００１５】
ＥＮＢ１０５，１１０，１１５，１２０は、ＵＭＴＳシステムの既存ノードＢに対応する。ＥＮＢ１０５，１１０，１１５，１２０は、ＵＥ１３５と無線チャネルで連結され、既存ノードＢよりも複雑な役割を行う。ＬＴＥでは、インターネットプロトコルを通したＶｏＩＰ（Ｖｏｉｃｅ  ｏｖｅｒ  ＩＰ）のような実時間サービスをはじめとする全てのユーザトラフィックが共用チャネル（ｓｈａｒｅｄ  ｃｈａｎｎｅｌ）を通じてサービスされるので、ＵＥの状況情報を集合してスケジューリングをする装置が必要となり、これをＥＮＢ１０５，１１０，１１５，１２０が担当する。一つのＥＮＢ１０５，１１０，１１５，１２０は、通常多数のセルを制御する。最大１００Ｍｂｐｓの送信速度を実現するために、ＬＴＥは、最大２０ＭＨｚ帯域幅で直交周波数分割多重方式（Ｏｒｔｈｏｇｏｎａｌ  Ｆｒｅｑｕｅｎｃｙ  Ｄｉｖｉｓｉｏｎ  Ｍｕｌｔｉｐｌｅｘｉｎｇ、以下、ＯＦＤＭという）を無線接続技術として使用する。また、端末１３５のチャネル状態に合わせて変調方式（ｍｏｄｕｌａｔｉｏｎ  ｓｃｈｅｍｅ）とチャネルコーディング率（ｃｈａｎｎｅｌ  ｃｏｄｉｎｇ  ｒａｔｅ）を決める適応変調コーディング（Ａｄａｐｔｉｖｅ  Ｍｏｄｕｌａｔｉｏｎ＆Ｃｏｄｉｎｇ、以下、ＡＭＣという）方式を適用する。Ｓ−ＧＷ１３０は、データベアラーを提供する装置であり、ＭＭＥ１２５の制御によってデータベアラーを生成または除去する。ＭＭＥ１２５は、各種制御機能を担当する装置であって、多数の基地局１０５，１１０，１１５，１２０と連結される。
【００１６】
図２は、ＬＴＥ移動通信システムの無線プロトコル構造について示す図である。
図２を参照すれば、ＬＴＥシステムの無線プロトコルは、ＰＤＣＰ（Ｐａｃｋｅｔ  Ｄａｔａ  Ｃｏｎｖｅｒｇｅｎｃｅ  Ｐｒｏｔｏｃｏｌ）階層２０５，２４０、ＲＬＣ（Ｒａｄｉｏ  Ｌｉｎｋ  Ｃｏｎｔｒｏｌ）階層２１０，２３５、ＭＡＣ（Ｍｅｄｉｕｍ  Ａｃｃｅｓｓ  Ｃｏｎｔｒｏｌ）階層２１５，２３０、及び物理階層２２０，２２５からなる。ＰＤＣＰ階層２０５，２４０は、ＩＰヘッダ圧縮／復元などの動作を担当し、無線リンク制御（Ｒａｄｉｏ  Ｌｉｎｋ  Ｃｏｎｔｒｏｌ、以下、ＲＬＣという）階層２１０，２３５は、ＰＤＣＰ  ＰＤＵ（Ｐａｃｋｅｔ  Ｄａｔａ  Ｕｎｉｔ）を適切な大きさで再構成して、ＡＲＱ動作などを行う。ＭＡＣ２１５，２３０階層は、一つの端末に構成された複数のＲＬＣ階層２１０，２３５装置と連結され、ＲＬＣ  ＰＤＵをＭＡＣ  ＰＤＵに多重化してＭＡＣ  ＰＤＵからＲＬＣ  ＰＤＵを逆多重化する動作を行う。物理階層２２０，２２５は、上位階層データをチャネルコーディング及び変調し、ＯＦＤＭシンボルで作って無線チャネルに送信するか、無線チャネルを通じて受信したＯＦＤＭシンボルを復調してチャネル復号化し、上位階層に伝達する動作を行う。送信を基準としてプロトコルエンティティーに入力されるデータをＳＤＵ（Ｓｅｒｖｉｃｅ  Ｄａｔａ  Ｕｎｉｔ）、出力されるデータをＰＤＵ（Ｐｒｏｔｏｃｏｌ  Ｄａｔａ  Ｕｎｉｔ）という。
【００１７】
図３は、ＬＴＥ移動通信システムでキャリア集約について例示した図である。
図３を参照すれば、一つの基地局３０５では、一般的に複数の周波数帯域にわたって多数のキャリア３１０，３１５が送出されて受信される。例えば、ＥＮＢ３０５で中心周波数がｆ１のキャリア３１５と、中心周波数がｆ３のキャリア３１０とが送出される時、既存には、一つの端末３３０が前記二つのキャリア３１０，３１５のうち一つのキャリア３１０，３１５を利用してデータを送受信した。しかしながら、キャリア集約能力を持っている端末３３０は、同時に複数のキャリア３１０，３１５からデータを送受信することができる。
【００１８】
これにより、基地局は、キャリア集約能力を持っている端末に対しては、状況によってさらに多くのキャリアを割り当てることにより、前記端末の送信速度を高めることができる。すなわち、伝統的な意味として、一つの基地局から送出されて受信される一つの順方向キャリアと一つの逆方向キャリアとが一つのセルを構成するとき、キャリア集約とは、端末が同時に複数のセルを介してデータを送受信することと理解され得る。これにより、最大送信速度は、集約されるキャリアの数に比例して増加する。以下、本発明を説明するに当たり、端末が任意の順方向キャリアを介してデータを受信するか、任意の逆方向キャリアを介してデータを送信することは、前記キャリアを特徴づける中心周波数と、周波数帯域に対応するセルで提供する制御チャネルと、データチャネルとを利用してデータを送受信することと同一の意味を有する。
【００１９】
図４は、ＬＴＥ移動通信システムでキャリアを集約して活性化する動作例を示す図である。
図４を参照すれば、キャリア集約は、基地局４１０から端末４０５にキャリアに対する情報を伝達するステップと、キャリアを活性化するステップとに二元化される。例えば、基地局４１０は、４１５ステップでキャリア集約能力を備えた任意の端末４０５に集約するキャリアに対する情報を提供する。前記情報は、キャリアの中心周波数、帯域幅、物理階層セル識別子（ＰＣＩ、Ｐｈｙｓｉｃａｌ  Ｃｅｌｌ  ＩＤ）等から構成される。端末４０５は、前記伝達された情報を記憶し、必要であれば該当キャリアの該当セルの順方向同期を樹立するなどの動作を行う。任意のセルの順方向同期を樹立することは、該当セルの同期チャネルを受信して、フレーム同期を樹立することを意味する。任意のセルの順方向同期を樹立することを、前記セルを識別するとも表現する。この後、基地局４１０から端末４０５に送信するデータの量が増加すれば、基地局４１０は、４２０ステップで端末４０５に集約されたキャリアを活性化する。また、基地局４１０は、４２５ステップで前記活性化したキャリアを介してデータを送信することにより送信速度を高める。
【００２０】
以下の説明でキャリアを集約することは、前記キャリアの特定セルを集約することと同一の意味で使用される。端末に集約するキャリア及びセルの情報を伝達することは、該当キャリアを設定するとも表現する。また、端末に集約されたキャリアをコンポーネントキャリア（Ｃｏｍｐｏｎｅｎｔ  Ｃａｒｒｉｅｒ、ＣＣ）という。以下の説明では、便宜のためにキャリア、セル、ＣＣを混用する。
【００２１】
本発明の第１実施例では、多数の順方向キャリアが集約された端末が基地局の指示に従って、そのうち一部あるいは全部を活性化するか非活性化する方法を提示する。
【００２２】
＜第１実施例＞
特定順方向キャリアを活性化または非活性化するために、基地局は、必要な情報を収納した制御メッセージを端末に送信する。前記制御メッセージには、通常、該当制御メッセージがキャリア活性化のためのメッセージであるか、キャリア非活性化のためのメッセージであるかを示す情報と、どの順方向キャリアを活性化または非活性化するか示す情報とが収納される。端末に集約される順方向キャリアの数は、最大５個という点と、一つのキャリアは活性化状態または非活性化状態のうち一つの状態を有する点とを考慮すれば、活性化のための制御メッセージと非活性化のための制御メッセージとを分離し、活性化または非活性化するキャリアの指示者を直接指示する通常の方法は、後述するいくつかの短所を有する。
【００２３】
これにより、本発明では、順方向キャリアをさらに効率的に活性化または非活性化するために、ビットマップを通じて順方向キャリアの状態を表示する制御メッセージを定義し、基地局と端末は、前記制御メッセージを利用して適切なキャリアを活性化または非活性化する方法を提示する。基地局は、キャリアを活性化または非活性化するために、該当端末に集約されたキャリアの好ましい状態が表示されたビットマップを送信し、端末は、前記ビットマップで表示されたキャリアの状態と、現在キャリアの状態とを比較することで、任意のキャリアを活性化するか、非活性化するか、現在の状態を維持するかを決める。
本発明で前記順方向キャリアの状態を表示する制御メッセージを順方向キャリア状態制御メッセージであると命名する。
【００２４】
図５は、本発明の第１実施例の全体動作を示す図である。
図５を参照すれば、一般的に基地局５１０と端末５０５は、一つのキャリアを使用して通信を始める。例えば、端末５０５は、５１５ステップで基地局５１０とＲＲＣ連結設定の過程を行い、５２０ステップで前記ＲＲＣ連結過程を行ったキャリアを利用して順方向／逆方向のデータ送受信を行う。例えば、キャリアｘ（５４０）でＲＲＣ連結が設定されたことと仮定すれば、端末５０５と基地局５１０は、前記キャリアｘ（５４０）を使用して順方向／逆方向のデータ送受信を行う。この後、任意の時点に前記端末５０５のデータ要求量が増加すれば、基地局５１０は、５２５ステップで端末５０５に多数のキャリアを集約するために、所定のＲＲＣ制御メッセージを送信する。例えば、キャリアｙ（５４５）とキャリアｚ（５５０）が追加的に集約されると仮定すれば、基地局５１０は、前記ＲＲＣ制御メッセージに集約されるキャリアに関する情報、例えば、キャリアの中心周波数、キャリアの帯域幅などの情報を収納する。
【００２５】
このとき、本発明では、前記制御メッセージに集約されるキャリアがキャリア状態制御メッセージのビットマップの何回目のビットに対応するかを指示する情報も共に収納される。ここで、前記情報を該当キャリアのビット位置であると称する。また、前記制御メッセージに前記集約されたキャリアを識別する時に使用するキャリア指示者情報も収納することができる。前記ビット位置やキャリア指示者は、前記制御メッセージが送受信されている、したがって、既に使用中であるキャリア、例えばキャリアｘ（５４０）に対しても割り当てられなければならない。ところが、キャリアｘ（５４０）は、端末５０５が既に使用しているキャリアであるため、新しいキャリア集約のための制御メッセージで関連情報を提供することは、非効率的である。これにより、本発明では、任意の時点に制御メッセージを通じてキャリア集約情報が端末に伝達される時、前記キャリア集約情報が伝達されるキャリアに対して、ビット位置やキャリア指示者が未だ割り当てられていなければ、前記キャリアに対しては、予め定められた値を使用する。例えば、既に集約されたがビット位置とキャリア指示者が割り当てられていないキャリアには、暗黙的にビットマップの一番目のビットを設定し、キャリア指示者として０を割り当てる。
【００２６】
一方、端末５０５は、前記ＲＲＣ制御メッセージを受信すれば、基地局５１０が指示したキャリアを集約し、前記キャリアで必要であれば直ちにデータ送受信が可能となるように必要な措置を取る。また、端末５０５は、集約されたキャリアのビット位置とキャリア識別子を記憶する。前記キャリア識別子は、今後キャリア間の交差スケジューリングで使用される。前記過程を例を挙げて説明すれば、基地局５１０が前記端末５０５にキャリアｙ（５４５）とキャリアｚ（５５０）を新しく集約し、キャリアｙ（５４５）のビット位置は二番目のビット、キャリアｚ（５５０）のビット位置は三回目のビットに設定され、キャリアｙ（５４５）のキャリア識別子は１、キャリアｚ（５５０）のキャリア識別子は２に設定される。前記情報は、キャリアを集約する５２５ステップの制御メッセージに含まれている。キャリアｘ（５４０）は、既に集約されて使用中であるが、前記制御メッセージでビット位置とキャリア識別子が割り当てられていないため、端末５０５は、定められた規則によってキャリアｘ（５４０）のビット位置は一番目のビット、識別子は０に設定する。
【００２７】
次に、端末５０５は、５３０ステップで基地局５１０にＲＲＣ制御メッセージに対する応答メッセージを送信し、基地局５１０は、前記応答メッセージを受信する。基地局５１０は、任意の時点に新しいキャリアを活性化または非活性化することに決めれば、５３５ステップで順方向キャリア状態制御メッセージを構成して端末に送信する。例えば、基地局５１０がキャリアｙ（５４５）を新しく活性化しようとすれば、基地局５１０は、ビットマップの一番目のビットと二番目のビットを１に、三番目のビットを０に設定したキャリア状態制御メッセージを送信する。端末５０５は、キャリア状態制御メッセージを受信すれば、現在の状態と指示された状態が互いに異なる順方向キャリアの状態を指示された状態に変更する。すなわち、キャリアｙ（５４５）の現在の状態は非活性化状態であり、指示された状態は活性化状態であるため、キャリアｙ（５４５）を活性化する。
【００２８】
一方、本実施例でキャリア集約のための複数のキャリアにキャリア別ビット位置とキャリア識別子を個別的に設定して利用する例を開示したが、これに限定されるものではない。すなわち、シグナルオーバーヘッドを最小化するために、キャリア別ビット位置とキャリア識別子を統合的に設定して利用してもよい。例えば、端末５０５に二つのキャリアを新しく集約する場合、基地局５１０が最も低いキャリア識別子、すなわち、キャリア識別子０に対応して一番目のビットを指示し、二番目に低いキャリア識別子、すなわち、キャリア識別子１に対応して二番目のビットを指示するように定義してもよい。この場合、キャリア集約情報が伝達されるキャリアに対して、ビット位置やキャリア識別子が未だ割り当てられていなければ、前記キャリアのキャリア識別子に対して予め定められた値、すなわち０を使用し、前記暗黙的なキャリア識別子から前記キャリアのビット位置は、ビットマップの一番目のビットに決めてもよい。参考に任意のキャリアを介してビットマップ情報などのキャリア集約に関連する制御メッセージが送信される時、前記キャリアに未だビット位置が割り当てられていなければ、前記キャリアは、プライマリキャリア（Ｐｒｉｍａｒｙ  Ｃａｒｒｉｅｒ）であるしかない。現在使用中であるキャリアに未だビット位置やキャリア識別子が割り当てられていないことは、前記キャリアがキャリア集約動作が行われる前から使用中であることを意味する。端末５０５と基地局５１０は、端末５０５が最初にＲＲＣ連結設定時に使用していた、すなわち、キャリア集約動作が行われる前に使用したキャリアをプライマリキャリアとして使用するので、既に集約されたが、ビット位置とキャリア指示者が割り当てられていないキャリアは、プライマリキャリアと同一である。
【００２９】
すなわち、今後、前記プライマリキャリアが所定の制御手続を通じて変更されてもよいが、キャリア集約動作が開始される時点のプライマリキャリアとは、キャリア集約に関連する制御メッセージが送信され、ビット位置とキャリア識別子が割り当てられていないキャリアをいう。したがって、前記キャリア識別子とキャリアのビット位置を暗黙的に決める動作は、「ビット位置やキャリア識別子が未だ割り当てられていないプライマリキャリアのビット位置やキャリア識別子は、予め定められた値を使用すること」に変形が可能である。
【００３０】
図６は、順方向キャリア状態制御メッセージの一例を示す図である。
図６を参照すれば、順方向キャリア状態制御メッセージは、ＭＡＣ階層の制御メッセージであってもよい。ＭＡＣ  ＰＤＵは、ＭＡＣサブヘッダ６０５とＭＡＣペイロード６１０から構成される。ＭＡＣサブヘッダ６０５には、ＭＡＣペイロード６１０にどの種類のデータが収納されているかに関する情報であるロジカルチャネル識別子が収納される。本発明では、キャリア状態制御メッセージ用として新しいロジカルチャネル識別子を使用する。前記識別子は、未だ使用されていないロジカルチャネル識別子、例えば、１１０１１であってもよい。仮に、キャリア活性化命令とキャリア非活性化命令を別に定義すれば、２つのロジカルチャネル識別子が要求されるが、本発明のようにキャリア状態制御メッセージでキャリア活性化と非活性化を一つの制御メッセージに同時に行う場合、一つのロジカルチャネル識別子で充分である。ＭＡＣ  ＰＤＵのフォーマットは、３６．３２１の６．１節に詳しく説明されている。
【００３１】
すなわち、本発明で基地局は、ＭＡＣ  ＰＤＵに順方向キャリア状態制御メッセージを収納する場合、ＭＡＣサブヘッダ６０５の部分に順方向キャリア状態制御メッセージが収納されている情報を収納する。前記情報は、具体的に順方向キャリア状態制御メッセージ用として定義されたロジカルチャネル識別子６１５である。そして、ＭＡＣペイロード６１０の部分には、実質的な順方向キャリア状態制御メッセージ６２０が収納され、前記順方向キャリア状態制御メッセージ６２０は、端末に集約されたキャリアの状態を指示するビットマップ６２５を含む。
【００３２】
本発明と異なり、キャリアを活性化または非活性化するために、別の制御メッセージを使用し、活性化または非活性化するキャリアの識別子を直接指示すれば、活性化または非活性化されるキャリアの数分だけに制御メッセージが送信されるので、シグナルオーバーヘッドが増加する。
【００３３】
図７は、本発明の第１実施例に係る端末の動作を示す図である。
図７を参照すれば、７０５ステップでキャリア集約を指示する制御メッセージを受信すれば、端末は、前記制御メッセージを遵守してキャリアを集約する。また、前記キャリアのビット位置及びキャリア識別子を認知する。また、端末は、７１０ステップで前記制御メッセージが送受信された順方向キャリアにビット位置及びキャリア識別子が割り当てられているか否かを検査する。仮に、７１０ステップで割り当てられていなければ、端末は７１５ステップに進んで、前記順方向キャリアのビット位置及びキャリア識別子を予め定められた値に設定する。前記予め定められた値は、例えば、ビットマップの一番目のビット、識別子０などであってもよい。
【００３４】
次に、７１０ステップで順方向キャリアにビット位置及びキャリア識別子が割り当てられていると検査されるか、又は、７１５ステップで順方向キャリアにビット位置及びキャリア識別子を設定した後、７２０ステップで順方向キャリア状態制御メッセージが受信されれば、端末は７２５ステップに進んで、活性化する順方向キャリアを決める。このとき、端末は、現在非活性化状態の順方向キャリアのうち、前記順方向キャリア状態制御メッセージで活性化状態と表示された順方向キャリアを活性化する。そして、端末は、７３０ステップに進んで非活性化する順方向キャリアを決める。このとき、端末は、現在活性化状態の順方向キャリアのうち、前記順方向キャリア状態制御メッセージで非活性化状態と表示された順方向キャリアを非活性化する。端末は、前記動作を行った後、新しい順方向キャリア状態制御メッセージが受信される時まで待機する。一方、新しい順方向キャリア状態制御メッセージが受信されれば、端末は７２０ステップに進んで、前記動作、すなわち、７２０ステップ〜７３０ステップを繰り返す。
【００３５】
一つのセルを順方向キャリアと逆方向キャリアとの集合であると定義する場合、本発明の第１実施例は、セルを活性化または非活性化する方法で使用される。第１実施例の説明で順方向キャリアをセルに変えれば、第１実施例で提示した方法により、セルを活性化または非活性化することができる。
【００３６】
参考に、順方向キャリアを活性化することは、前記順方向キャリアの制御チャネルとデータチャネルを受信することを意味し、セルを活性化することは、該当セルの順方向キャリアの制御チャネルとデータチャネルを受信し、該当セルの逆方向キャリアを介して必要な場合、制御チャネルとデータチャネルを送信することを意味する。
【００３７】
＜第２実施例＞
ＬＴＥ移動通信システムでは、基地局が逆方向チャネルの状況を参照して逆方向スケジューリングをするために、端末が逆方向キャリアでＳＲＳ（Ｓｏｕｎｄｉｎｇ  Ｒｅｆｅｒｅｎｃｅ  Ｓｉｇｎａｌ）を送信するように設定することができる。前記ＳＲＳの最も大きな目的は、逆方向スケジューリングを効率的に行うことで、附加的に端末の逆方向送信タイミングを追跡する用途として使用されてもよい。すなわち、端末に複数の逆方向キャリアが集約されている時、原則的には、前記全ての逆方向キャリアでＳＲＳを送信することが最も効率的である。しかし、ＳＲＳ送信リソースは限定されており、ＳＲＳ送信は端末の電力消耗を招くという側面で、端末が全ての逆方向キャリアでＳＲＳを送信することは好ましくない。したがって、本発明の第２実施例では、ＳＲＳ送信リソースを効率的に割り当てて回収する方法を提示する。
【００３８】
ＬＴＥ−Ａ移動通信システムでは、キャリア間の交差スケジューリングが許される。すなわち、任意の順方向キャリアのスケジューリングチャネルを通じて多数の逆方向キャリアに対するスケジューリング情報を送信することが可能である。例えば、いずれか一つの端末にＤＬ ＣＣ１（８０５）、ＤＬ ＣＣ ２（８１０）、ＤＬ ＣＣ ３（８１５）の３つの順方向キャリアと、ＵＬ ＣＣ １（８２０）、ＵＬ ＣＣ ２（８２５）、ＵＬ ＣＣ ３（８３０）の３つの逆方向キャリアとが集約されている時、ＤＬ ＣＣ １（８０５）で全てのＵＬ  ＣＣ８２０，８２５，８３０に対するスケジューリングが可能となり、ＤＬ ＣＣ ３（８１５）で全てのＵＬ  ＣＣ８２０，８２５，８３０に対するスケジューリングが可能となるように設定される。そして、端末は、任意のＤＬ  ＣＣ８０５，８１０，８１５で逆方向グラントを受信すれば、前記逆方向グラントのキャリア指示者フィールドＣＩＦ（Ｃａｒｒｉｅｒ  Ｉｎｄｉｃａｔｏｒ  Ｆｉｅｌｄ）を検査して、前記逆方向グラントがどの逆方向キャリアに関するものであるかを判断する。
【００３９】
上記のように、スケジューリングチャネルが設定された全ての順方向キャリアで全ての逆方向キャリアに対する逆方向グラントを送信できるように許容すれば、全ての順方向キャリアが非活性化されない限り、任意の逆方向キャリアに対するスケジューリングが常に可能である。これは、長所であると見えるが、端末が全ての逆方向キャリアに対して逆方向送信を準備していなければならないという問題点も伴う。それだけでなく、上記のように最大限のスケジューリング可用性を保障することは、特別な実益をもたらさない。例えば、ＵＬ ＣＣ １（８２０）に対する逆方向スケジューリングを非常に多数のＤＬ  ＣＣで可能にすることによって発生する利益は、一つの順方向キャリアのスケジューリングチャネルにオーバーロードが発生した時、他のスケジューリングチャネルを利用できる点であるが、スケジューリングチャネルの大きさは、サブフレーム毎に調整可能であるため、前記オーバーロードの発生可能性は微小である。キャリア間の交差スケジューリングの最も重要な目的は、セル間の干渉制御のために特定ＤＬ  ＣＣ８０５，８１０，８１５にスケジューリングチャネルを送信しないように許容することである。例えば、ＤＬ ＣＣ ２（８１０）でスケジューリングチャネルを送信しない時、交差スケジューリングを利用して他のＤＬ  ＣＣ８０５，８１５でＤＬ ＣＣ ２（８１０）とＵＬ ＣＣ ２（８２５）がスケジューリングを行うことができるように許容する。
【００４０】
これにより、本発明では、任意の逆方向キャリアに対する逆方向グラントが送受信される順方向キャリアを、前記逆方向キャリアとスケジューリング観点で関連する順方向キャリアに定義し、任意の逆方向キャリアとスケジューリング観点で関連する順方向キャリアの数を最小化する。そして、前記逆方向キャリアのＳＲＳ送信を、該当逆方向キャリアとスケジューリング観点で関連する順方向キャリアの活性化状態と連係して制御する方法を提示する。このとき、任意の逆方向キャリアに対するスケジューリングがスケジューリングチャネル送信が許された全てのＤＬ  ＣＣで可能な場合には、逆方向キャリアのＳＲＳ送信と順方向キャリアの活性化状態とを連係することは、意味がないが、スケジューリングチャネルが送信される全ての順方向チャネルと任意の逆方向チャネルをスケジューリング観点で関連付けなければ、逆方向キャリアのＳＲＳ送信とスケジューリング観点で関連付けられた順方向キャリアの活性化状態を連係して調整することが可能である。これを例に挙げて説明すれば、次の通りである。
【００４１】
図９は、順方向キャリアと逆方向キャリアのスケジューリング側面における関係の一例を示す図である。
図９を参照すれば、一つの端末にＤＬ ＣＣ １（８０５）、ＤＬ ＣＣ ２（８１０）、ＤＬ ＣＣ ３（８１５）の３つの順方向キャリアが集約され、ＵＬ ＣＣ １（８２０）、ＵＬ ＣＣ ２（８２５）、ＵＬ ＣＣ ３（８３０）の３つの逆方向キャリアが集約されている時、ＤＬ ＣＣ １（８０５）は、ＵＬ ＣＣ １（８２０）とスケジューリング関係を形成し、ＤＬ ＣＣ ３（８１５）は、ＵＬ ＣＣ ２（８２５）とＵＬ ＣＣ ３（８３０）とスケジューリング関係を形成すれば、ＵＬ ＣＣ １（８２０）の場合、ＤＬ ＣＣ １（８０５）が非活性化される場合、これ以上逆方向グラントを受信することはできない。ＵＬ ＣＣ ２（８２５）とＵＬ ＣＣ ３（８３０）は、ＤＬ ＣＣ ３（８１５）が非活性化されれば、これ以上逆方向グラントを受信することはできない。言い換えれば、逆方向キャリアでＳＲＳを送信することの効用がほとんど消える状況になる。
【００４２】
すなわち、本発明では、任意の逆方向キャリアとスケジューリング関係を形成する順方向キャリアが好ましく一つのみになるように、最小限集約された順方向キャリアのうち一部だけが任意の逆方向キャリアとスケジューリング関係を形成するように設定し、任意の逆方向キャリアとスケジューリング関係を設定した順方向キャリアのうち一部でも活性化状態を維持する場合に、ＳＲＳ送信を行うように制御する。言い換えれば、順方向キャリアを活性化または非活性化するにつれて、逆方向ＳＲＳ送信が活性化または非活性化され、順方向キャリアの活性化状態は、逆方向ＳＲＳ送信と密接な関係を持つ。このような点に着眼して本発明の第２実施例では、順方向キャリア状態制御メッセージとＳＲＳ送信リソース割当メッセージを結合する。すなわち、端末は、順方向キャリア状態制御メッセージを受信すれば、新しく活性化する順方向キャリアとスケジューリング観点で連結された逆方向キャリアを検索する。そして、前記逆方向キャリアに有効なＳＲＳ送信リソースが割り当てられていれば、端末は、前記逆方向キャリアを通したＳＲＳ送信を活性化する。このとき、有効なＳＲＳ送信リソースは、前記順方向キャリア状態メッセージで割り当てられてもよい。
【００４３】
図１０は、本発明の第２実施例に係る全体動作を示す図である。
図１０を参照すれば、基地局１０１０は、任意の時点に任意の逆方向キャリア、例えば、逆方向キャリア３（１０５０）のＳＲＳ送信を活性化することに決める。任意の逆方向キャリアに対して任意の端末１００５のＳＲＳ送信を活性化することは、前記端末１００５が、前記逆方向キャリアで基地局１０１０が割り当てた送信リソースを利用して、基地局１０１０が定めた時点に基地局１０１０が定めた周期でＳＲＳ送信を行うことを意味する。基地局１０１０は、例えば、前記端末１００５が送信する逆方向データが増加すれば、前記端末１００５に効率的に逆方向送信リソースを割り当てるためにＳＲＳを活性化することができる。基地局１０１０は、今後前記ＳＲＳ信号の品質を参照して受信品質が最も優れた周波数の送信リソースを割り当てることができる。
【００４４】
これのために、基地局１０１０は、ＳＲＳ送信を活性化する逆方向キャリアとスケジューリングの側面で関連する順方向キャリアが活性化状態であるか非活性化状態であるかを先に検査し、前記順方向キャリアが非活性化状態であれば、前記順方向キャリアを活性化させるために順方向キャリア状態制御メッセージを生成する。このとき、逆方向キャリア３と順方向キャリア３がスケジューリングの側面で関連付けられていれば、基地局１０１０は、前記順方向キャリア状態制御メッセージが順方向キャリア３を活性化するように設定する。そして、前記順方向キャリア状態制御メッセージに逆方向キャリア３のＳＲＳ送信リソースに関連する情報を含ませる。ＳＲＳ送信リソースに関連する情報としては、ＳＲＳが送信されるリソースブロック（Ｒｅｓｏｕｒｃｅ  Ｂｌｏｃｋ）、ＳＲＳ送信に使用するコードなどがある。端末１００５は、前記送信リソース情報を受信すれば、所定の周期に合わせて所定の時点に前記送信リソースを利用してＳＲＳ信号を送信する。
【００４５】
すなわち、端末１００５は、１０１５ステップで順方向キャリア状態制御メッセージを受信すれば、前記順方向キャリア状態制御メッセージの指示により、適切な順方向キャリアを活性化する。そして、前記順方向キャリア状態制御メッセージに逆方向キャリアに対するＳＲＳ情報が含まれていれば、前記ＳＲＳ情報で指示したＳＲＳリソースを前記逆方向キャリアに割り当てる。また、端末は、前記制御メッセージを処理した後、ＳＲＳリソースが割り当てられた状態で且つスケジューリング観点で関連する順方向キャリアが活性化状態の逆方向キャリアがあるか否かを検査し、そのようなキャリアがあれば、１０２０ステップで該当キャリアで逆方向ＳＲＳ送信を活性化する。
【００４６】
図１１は、ＳＲＳ情報を含む順方向キャリア状態制御メッセージの一例を示す図である。このとき、図６で説明した内容と重複した部分は省略する。
図１１を参照すれば、順方向キャリア状態制御メッセージには、二つのビットマップ１１２５，１１３０が収納され、一番目のビットマップ１１２５は順方向キャリアの状態を指示し、二番目のビットマップ１１３０はＳＲＳ情報の有無を指示する。前記二番目のビットマップ１１３０の各ビットは、端末に集約された逆方向キャリアと一対一で対応され、該当ビットが１に設定されれば、該当逆方向キャリアに対するＳＲＳ情報が収納されていることを意味する。ＳＲＳ情報は、上述したようにＳＲＳ信号が送信されるリソースブロックと、ＳＲＳ信号に使用されるコードなどであってもよい。端末は、順方向キャリア状態制御メッセージでＳＲＳ送信リソースを割り当てられれば、前記割り当てられたリソースが回収される前までは、該当キャリアに前記リソースが割り当てられた状態であると見なす。上述したように、前記割り当てられたリソースを利用してＳＲＳ信号を送信するか否かは、該当逆方向キャリアとスケジューリングの側面で関連付けられた順方向キャリアの活性化有無と連係して判断する。
【００４７】
図１２は、本発明の第２実施例に係る端末の動作を示す図である。
図１２を参照すれば、１２０５ステップで順方向キャリア状態制御メッセージを受信すれば、端末は、１２１０ステップに進んで、順方向キャリア状態に関するビットマップを参照し、新しく活性化または非活性化する順方向キャリアを決めて、それに合わせて順方向キャリアを活性化または非活性化する。そして、端末は、１２１５ステップでＳＲＳ情報に関するビットマップを参照してＳＲＳリソースに変化がある逆方向キャリアを認知する。例えば、ビットマップの該当ビットが１に設定された逆方向キャリアには、ＳＲＳリソースに変化がある。この後、端末は１２２０ステップに進んで、キャリア状態制御メッセージに収納されたＳＲＳ情報を解釈して適切な動作を取る。このとき、前記ＳＲＳ情報は、ビットが１に設定された逆方向キャリア別ＳＲＳリソース情報から構成される。また、端末は、前記ＳＲＳリソース情報で指示されたＳＲＳリソースを該当逆方向キャリアに割り当てる。仮に、該当逆方向キャリアにＳＲＳリソースが既に割り当てられていれば、端末は、前記割り当てられたＳＲＳリソースを解除して新しく割り当てられたＳＲＳリソースを使用する。または、前記ＳＲＳリソース情報が予め定められた所定の値から構成されれば、例えば、全てのビットが０であれば、端末は、該当逆方向キャリアに割り当てられていたＳＲＳリソースを回収する。
【００４８】
次に、端末は、１２２５ステップに進んで、スケジューリングの側面で関連する順方向キャリアが活性化状態であり、ＳＲＳリソースが割り当てられている逆方向キャリアがあるか否かを検査し、前記逆方向キャリアでＳＲＳ送信を活性化する。この後、端末は１２３０ステップに進んで、スケジューリングの側面で関連する順方向キャリアが活性化状態であるが、ＳＲＳリソースが回収された逆方向キャリアのＳＲＳ送信を非活性化する。
【００４９】
＜第３実施例＞
本発明の第３実施例では、ＳＲＳリソースを明示的に回収せずにスケジューリングの側面で関連する順方向キャリアが非活性化されれば、ＳＲＳリソースを暗黙的に回収する方法を提示する。上述したように、スケジューリングの側面で関連する順方向キャリアが全て非活性化されれば、該当逆方向キャリアに対するスケジューリングが不可能であるため、ＳＲＳ送信の効用が非常に劣る。したがって、このような状況では、ＳＲＳ送信を非活性化することがより好ましい。上述したようにＳＲＳ送信リソースは、制限された送信リソースであるため、ＳＲＳ送信が非活性化される場合、既に割り当てられていたＳＲＳ送信リソースも回収することが当然であるが、これのために、ＳＲＳ情報を別に収納すればシグナルオーバーヘッドが増加するという短所が発生する。したがって、本発明の第３実施例では、スケジューリングの側面で関連する全ての順方向キャリアが非活性化されれば、該当逆方向キャリアのＳＲＳ送信を非活性化してＳＲＳリソースを回収する。
【００５０】
図１３は、本発明の第３実施例に係る端末の動作を示す図である。
図１３を参照すれば、１３０５ステップで任意の順方向キャリアを非活性化すれば、端末は１３１０ステップに進む。そして、端末は、１３１０ステップで前記非活性化された順方向キャリアとスケジューリングの側面で関連する逆方向キャリアにおいて、ＳＲＳ送信が活性化状態であるかを検査する。このとき、活性化状態であれば、端末は１３１５ステップに進んで、前記逆方向キャリアとスケジューリングの側面で関連する全ての順方向キャリアが非活性化状態であるかを検査する。ここで、仮に、該当逆方向キャリアとスケジューリングの側面で関連する順方向キャリアが一つであれば、端末は、常に１３１５ステップで順方向キャリアが非活性化状態であると決める。また、１３１５ステップの判断結果、順方向キャリアが非活性化状態であれば、端末は１３２０ステップに進んで、前記逆方向キャリアのＳＲＳ送信を非活性化してＳＲＳ送信リソースを解除する。そして、端末は、１３２５ステップに進んで過程を終了する。
【００５１】
一方、逆方向キャリアの状態を活性化状態と非活性化状態に区分して、任意の逆方向キャリアが非活性化状態になれば、前記逆方向キャリアで逆方向送信を禁止することができる。これのために、前記逆方向キャリアに割り当てられている専用送信リソースを解除するように端末の動作を定義し、逆方向キャリアの活性化／非活性化状態をスケジューリングの側面で関連する順方向キャリアの活性化／非活性化状態と連係してもよい。
図１４は、本発明の第３実施例に係る端末の他の動作を示す図である。
図１４を参照すれば、１４０５ステップでキャリア状態制御メッセージを受信すれば、端末は、前記制御メッセージの指示によって順方向キャリアを活性化または非活性化する。すなわち、端末は、１４１０ステップに進んで、順方向キャリアを新しく活性化または非活性化することにより、逆方向キャリアを活性化または非活性化する必要があるか否かを判断する。このとき、１４１０ステップで端末は、逆方向キャリア別に、該当逆方向キャリアとスケジューリングの側面で関連する順方向キャリアが全部非活性化状態であるか、一部あるいは全部が活性化状態であるかを検査する。
【００５２】
次に、スケジューリングの側面で関連する全ての順方向キャリアが非活性化状態である逆方向キャリアに対して、端末は１４１５ステップに進む。このとき、１４１５ステップで端末は、該当逆方向キャリアを非活性化する。この後、端末は、１４２０ステップに進んで該当逆方向キャリアに割り当てられたＳＲＳリソース及び半永久的送信リソースを解除し、１４３０ステップに進む。ここで、半永久的送信リソースは、ＶｏＩＰのように一定の大きさのデータが周期的に発生するサービスを効率的に支援するために、端末に別の逆方向グラントなしで周期的に割り当てられる送信リソースである。
一方、１４１０ステップで任意の逆方向キャリアに対しては、判断結果が偽りであれば、言い換えれば、前記逆方向キャリアとスケジューリングの側面で関連する順方向キャリアのうち一部あるいは全部が活性化状態であれば、端末は１４２５ステップに進む。そして、１４２５ステップで端末は、前記逆方向キャリアが非活性化状態であれば活性化させて、１４３０ステップに進む。また、１４３０ステップで端末は、キャリア状態制御メッセージの残りの部分を処理し、例えば、ＳＲＳリソース情報によってＳＲＳリソースを割り当てるなどの動作を行って過程を終了する。
【００５３】
＜第４実施例＞
本発明の第１実施例において、順方向キャリアの状態を表示する制御メッセージを利用して順方向キャリアを活性化または非活性化する方案を提示した。前記第１実施例は、シグナルオーバーヘッドの最小化の側面では非常に有用であるが、端末が受信したメッセージに表示された好ましいキャリアの状態とキャリアの現在状態とを比較した後、活性化または非活性化の有無を判断する二段階の動作を取るので、端末に複雑度が増加する。これにより、本発明の第４実施例では、端末の複雑度は維持しながら、シグナルオーバーヘッドを最小化する方法を提示する。
【００５４】
これのために、本発明の第４実施例では、上述した第１実施例と同様に、順方向キャリアの好ましい状態を指示するビットマップを使用するが、前記ビットマップの意味を下記のように定義する。
０：該当順方向キャリアの現在の状態を維持
１：該当順方向キャリアの状態を変更、すなわち、非活性化されたキャリアは活性化し、活性化されたキャリアは非活性化
【００５５】
上記のようにビットマップを設定すれば、端末は、ビットマップで１に設定されたビットに該当する順方向キャリアのみを活性化または非活性化し、残りのキャリアは現在の状態を維持することにより、どの順方向キャリアの状態を変更するかを判断するために、受信したビットマップで指示されたキャリアの状態と現在のキャリアの状態とを比較する必要がない。
【００５６】
図１５は、本発明の第４実施例に係る端末の動作を示す図である。
図１５を参照すれば、１５０５ステップ、１５１０ステップ、１５１５ステップは、上述された図７の７０５ステップ、７１０ステップ、７１５ステップと同一であるので、説明を省略する。この後、１５２０ステップで順方向キャリアの状態制御メッセージが受信されれば、端末は１５２５ステップに進んで、状態を変更する順方向キャリアを確認して状態を変更する。すなわち、現在活性化状態の順方向キャリアは非活性化状態に、非活性化状態の順方向キャリアは活性化状態に変更する。これのために、端末は、前記制御メッセージで該当ビットが１に設定された順方向キャリアを、状態を変更する順方向キャリアと判断する。そして、端末は、前記動作を行った後、新しい順方向キャリア状態制御メッセージが受信される時まで待機する。また、新しい順方向キャリア状態制御メッセージが受信されれば、端末は１５２０ステップに進んで、前記動作、すなわち、１５２０ステップ〜１５２５ステップを繰り返す。
【００５７】
ただし、前記提示した実施例で端末と基地局が、同一のキャリアに対して他の状態を仮定していれば、誤動作が発生し得る。言い換えれば、基地局は、任意のキャリアの活性化を命令したが、端末は該当キャリアを非活性化する。これにより、前記問題点を解決するための方法として、順方向キャリアの好ましい状態を指示するためにビットマップを使用するが、キャリア活性化命令とキャリア非活性化命令とを分離する。このとき、キャリア活性化命令のビットマップで、１は該当キャリアの活性化を意味し、０は該当キャリアの状態維持を意味する。また、キャリア非活性化命令のビットマップで、１は該当キャリアの非活性化を意味し、０は該当キャリアの状態維持を意味するように定義する。
【００５８】
図１６は、本発明の第４実施例に係る端末の他の動作を示す図である。
図１６を参照すれば、１６０５ステップ、１６１０ステップ、１６１５ステップは、上述した図７の７０５ステップ、７１０ステップ、７１５ステップと同一であるので、説明を省略する。この後、１６２０ステップで制御メッセージが受信されれば、端末は１６２５ステップに進んで、前記制御メッセージが順方向キャリア活性化メッセージであるか順方向キャリア非活性化メッセージであるかを判断する。このとき、順方向キャリア活性化メッセージと順方向キャリア非活性化メッセージには、別のロジカルチャネル識別子が割り当てられる。これにより、端末は、受信した制御メッセージのロジカルチャネル識別子を利用して前記制御メッセージの種類を判断する。そして、１６２５ステップで受信した制御メッセージが順方向キャリア活性化メッセージであると判断されれば、端末は１６３０ステップに進んで、前記メッセージのビットマップで１に設定された順方向キャリアを活性化させる。一方、１６２５ステップで受信した制御メッセージが順方向キャリア非活性化メッセージであると判断されれば、端末は１６３５ステップに進んで、前記メッセージのビットマップで１に設定された順方向キャリアを非活性化させる。そして、端末は、前記動作を行った後、新しい順方向キャリア状態制御メッセージが受信される時まで待機する。また、新しい順方向キャリア状態制御メッセージが受信されれば、端末は１６２０ステップに進んで、前記動作、すなわち、１６２０ステップ〜１６３５ステップを繰り返す。
【００５９】
上述されたように動作するための本発明の実施例に係る端末装置の構造を説明すれば、次の通りである。
【００６０】
図１７は、本発明の第１〜第４実施例に係る端末装置の構造を示す図である。
図１７を参照すれば、端末装置は、送受信機１７０５、送受信及びキャリア活性化制御部１７１０、多重化及び逆多重化装置１７２０、制御メッセージ処理部１７３５、及び各種上位階層装置１７２５，１７３０等から構成される。
【００６１】
送受信機１７０５は、順方向キャリアでデータ及び所定の制御信号を受信し、逆方向キャリアでデータ及び所定の制御信号を送信する。多数のキャリアが集約された場合、送受信機１７０５は、前記多数のキャリアでデータの送受信及び制御信号の送受信を行う。
【００６２】
送受信制御及びキャリア活性化制御部１７１０は、基地局が送信した順方向キャリア状態制御メッセージを解釈して順方向キャリアの活性化及び非活性化を制御する。また、送受信制御及びキャリア活性化制御部１７１０は、順方向キャリアの活性化及び非活性化の状態を参照して、逆方向キャリアのＳＲＳ送信有無を判断する。そして、前記判断結果に応じて送受信制御及びキャリア活性化制御部１７１０は、ＳＲＳ送信を制御する。
多重化及び逆多重化装置１７２０は、上位階層装置１７２５，１７３０や制御メッセージ処理部１７３５で発生したデータを多重化するか、送受信機１７０５で受信されたデータを逆多重化することで、適切な上位階層装置１７２５，１７３０や制御メッセージ処理部１７３５に伝達する役割をする。また、多重化及び逆多重化装置１７２０は、順方向キャリア状態制御メッセージを逆多重化して送受信及びキャリア活性化制御部１７１０に伝達する。
【００６３】
制御メッセージ処理部１７３５は、ネットワークが送信した制御メッセージを処理して必要な動作を取る。例えば、制御メッセージ処理部１７３５は、制御メッセージに収納されたキャリア関連情報を送受信およびキャリア活性化制御部１７１０に伝達する。上位階層装置１７２５，１７３０は、サービス別に構成され、ＦＴＰやＶｏＩＰなどのようなユーザサービスで発生するデータを処理し、多重化および逆多重化装置１７２０の多重化装置に伝達するか、多重化および逆多重化装置１７２０の逆多重化装置が伝達したデータを処理して、上位階層のービスアプリケーションに伝達する。
【００６４】
一方、示されていないが、上述された実施例に係る基地局装置は、送受信機と制御部などから構成される。
【００６５】
送受信機は、順方向キャリアでデータ及び所定の制御信号を送信し、逆方向キャリアでデータ及び所定の制御信号を受信する。多数のキャリアが集約された場合、送受信機は、前記多数のキャリアでデータ送受信及び制御信号送受信を行う。
【００６６】
制御部は、指示メッセージ及び順方向キャリア状態制御メッセージを送信するように制御する。そして、制御部は、順方向キャリアの活性化及び非活性化を制御する。
【００６７】
＜第５実施例＞
本発明の第５実施例では、端末に多数のキャリアが集約される時、順方向キャリアと逆方向キャリアの関連関係を効率的に設定する方法を提示する。
【００６８】
すなわち、逆方向データの送信のために任意の逆方向キャリアは、所定の順方向キャリアと多様な関連関係を形成しなければならない。より具体的に説明すれば、任意の逆方向キャリアに対する逆方向グラントがどの順方向キャリアを介して送受信されるか（以下、これを逆方向スケジューリングの側面における関連関係と命名する）、任意の逆方向キャリアの逆方向送信出力の設定にどの順方向キャリアの経路損失が考慮されるか（以下、これを経路損失の側面における関連関係と命名する）、任意の順方向キャリアを介して受信した逆方向送信出力制御（Ｔｒａｎｓｍｉｓｓｉｏｎ  Ｐｏｗｅｒ  Ｃｏｎｔｒｏｌ）命令がどの逆方向キャリアに対するものであるか（以下、これを逆方向送信出力制御命令の側面における関連関係と命名する）などの関連関係が予め設定されなければならない。
【００６９】
これにより、本発明の第５実施例では、関係識別子を定義して順方向キャリアと逆方向キャリアに割り当てて、任意の関係識別子を割り当てられた逆方向キャリアは、同一の関係識別子を割り当てられた順方向キャリアと基本関連関係を有し、別途の明示的なシグナルで関連関係が指示されなければ、前記基本関連関係を適用して逆方向キャリアと順方向キャリア間の各種関連関係を設定する方法及び装置を提示する。これを通じて多数の順方向キャリアと多数の逆方向キャリアとの間の多様な関連関係をより効率的に設定することができる。
【００７０】
図１８は、順方向キャリアと逆方向キャリアの関連関係の例を示す図である。
図１８を参照すれば、任意の端末に順方向キャリアＡ（１８０５）、順方向キャリアＢ（１８１０）、順方向キャリアＣ（１８１５）、逆方向キャリアＤ（１８２０）、逆方向キャリアＥ（１８２５）、逆方向キャリアＦ（１８３０）が集約された場合を仮定する。
このとき、逆方向スケジューリングの側面では、順方向キャリアＡ（１８０５）と逆方向キャリアＤ（１８２０）、順方向キャリアＡ（１８０５）と逆方向キャリアＥ（１８２５）、順方向キャリアＣ（１８１５）と逆方向キャリアＦ（１８３０）が関連関係を有する。そして、送信出力制御命令の側面では、順方向キャリアＡ（１８０５）と逆方向キャリアＤ（１８２０）、順方向キャリアＢ（１８１０）と逆方向キャリアＥ（１８２５）、順方向キャリアＣ（１８１５）と逆方向キャリアＦ（１８３０）が関連関係を有する。また、経路損失の側面では、順方向キャリアＡ（１８０５）と逆方向キャリアＤ（１８２０）、順方向キャリアＢ（１８１０）と逆方向キャリアＥ（１８２５）、順方向キャリアＣ（１８１５）と逆方向キャリアＦ（１８３０）が関連関係を有する。
このような場合、システムは、逆方向キャリアＤ（１８２０）と最も多くの関連関係を有する順方向キャリアＡ（１８０５）に同一の関係識別子、例えば１を割り当てる。そして、逆方向キャリアＥ（１８２５）と最も多くの関連関係を有する順方向キャリアＢ（１８１０）に同一の関係識別子、例えば２を割り当てる。逆方向キャリアＦ（１８３０）と最も多くの関連関係を有する順方向キャリアＣ（１８１５）に同一の関係識別子、例えば３を割り当てる。そして、逆方向キャリアＥ（１８２５）と逆方向スケジューリングの側面で関係する順方向キャリアは、Ａ（１８０５）であることを明示的にシグナルする。これを通じて、端末は、明示的に関係が逆方向スケジューリングの側面で逆方向キャリアＥ（１８２５）と順方向キャリアＡ（１８０５）との間の関連関係を除いた残りの関連関係は、前記関係識別子を利用して設定する。
【００７１】
または、任意の端末に順方向キャリアＧ（１８３５）、順方向キャリアＨ（１８４０）、順方向キャリアＩ（１８４５）、逆方向キャリアＪ（１８５０）、逆方向キャリアＫ（１８５５）、逆方向キャリアＬ（１８６０）が集約された場合を仮定する。このとき、逆方向スケジューリングの側面、送信出力制御命令の側面、及び経路損失の側面で順方向キャリアＧ（１８３５）と逆方向キャリアＪ（１８５０）、順方向キャリアＨ（１８４０）と逆方向キャリアＫ（１８５５）、順方向キャリアＩ（１８４５）と逆方向キャリアＬ（１８６０）が関連関係を有する。
【００７２】
このような場合、システムは、前記順方向キャリアＧ（１８３５）と逆方向キャリアＪ（１８５０）に同一の関係識別子、例えば１を割り当てる。そして、システムは、順方向キャリアＨ（１８４０）と逆方向キャリアＫ（１８５５）に同一の関係識別子、例えば２を割り当てる。また、システムは、順方向キャリアＩ（１８４５）と逆方向キャリアＬ（１８６０）に同一の関係識別子、例えば３を割り当てる。これにより、端末は、逆方向キャリアと順方向キャリアの関連関係を設定する。
【００７３】
システムは、それぞれの端末に個別的に関係識別子を設定することができる。あるいは、システムは、順方向キャリアと逆方向キャリアの間に予め設定されている所定の関係、例えば、周波数帯域とデフォルト順方向／逆方向の周波数距離などによって定義された関係を利用して関係識別子を設定する。例えば、順方向キャリアＡと逆方向キャリアＤが同一の周波数帯域に属して、デフォルト順方向／逆方向の距離を有すれば、基地局は、前記順方向キャリアＡと逆方向キャリアＤに常に同一の関係識別子を割り当ててもよい。または、順方向キャリアＡのシステム情報で関連する逆方向キャリアで逆方向キャリアＤを指示すれば、システムは、前記順方向キャリアＡと逆方向キャリアＤに同一の関係識別子を割り当てる。一つのセルは、通常的に一つの順方向キャリアと一つの逆方向キャリアから構成される。このとき、前記同一のセルを構成する順方向キャリアと逆方向キャリアには、同一のセル識別子（ｃｅｌｌ  ｉｎｄｅｘ）が割り当てられてもよく、本発明の関係識別子は、前記セル識別子と同一であってもよい。
【００７４】
言い換えれば、前記関係識別子によって定義される基本関連関係は、端末別に互いに異なってもよく、多数の端末に対して共通であってもよい。
【００７５】
図１９は、本発明の第５実施例に係る全体動作を示す図である。
図１９を参照すれば、基地局１９１０と端末１９０５は、一つの順方向キャリアと逆方向キャリアを使用して通信を始める。例えば、端末１９０５は、１９３５ステップで逆方向キャリアＢ（１９２０）を通じてＲＲＣ連結要請メッセージを送信し、１９４０ステップで順方向キャリアＡ（１９１５）を通じてＲＲＣ連結設定メッセージを受信することにより、基地局１９１０とＲＲＣ連結を設定する。この後、端末１９０５は、１９４５ステップで前記順方向キャリアＡ（１９１５）と逆方向キャリアＢ（１９２０）を通じて基地局１９１０と順方向／逆方向のデータ送受信を行う。この時点までは、順方向キャリアと逆方向キャリアが一つしか存在しないため、全ての側面の関連関係は明確である。この後、任意の時点に前記端末１９０５のデータ要求量が増加すれば、基地局１９１０は、１９５０ステップで端末１９０５に追加キャリアを集約するために、所定のＲＲＣ制御メッセージを送信する。例えば、順方向キャリアＣ（１９２５）と逆方向キャリアＤ（１９３０）が追加的に集約されると仮定すれば、基地局１９１０は、前記ＲＲＣ制御メッセージに集約されるキャリアに関する情報、例えば、キャリアの中心周波数、キャリアの帯域幅、該当キャリアで端末１９０５のデータ送受信が進められるセルのＰＣＩ（Ｐｈｙｓｉｃａｌ  Ｃｅｌｌ  Ｉｄ）等の情報を収納する。
【００７６】
このとき、本実施例で前記制御メッセージでは、集約されるキャリア１９１５，１９２０，１９２５，１９３０の関連関係を設定するために、キャリア１９１５，１９２０，１９２５，１９３０別に関係識別子が明示的にあるいは暗黙的に共にシグナルされる。上述したように、任意の逆方向キャリア１９２０，１９３０は、同一の関係識別子が割り当てられた順方向キャリア１９１５，１９２５と基本関連関係を形成し、前記基本関連関係は、別途の明示的なシグナルで関係が設定された関連関係を除いた残りの関連関係に適用される。例えば、順方向キャリアＣ（１９２５）と逆方向キャリアＤ（１９３０）に同一の関係識別子が割り当てられ、逆方向キャリアＤ（１９３０）と経路損失の側面で関連関係を結ぶように、順方向キャリアＡ（１９１５）が明示的に設定されていれば、前記逆方向キャリアＤ（１９３０）は、経路損失の側面における関連関係は明示的に指示されたように順方向キャリアＡ（１９１５）と結んで、残りの関連関係、例えば、スケジューリングの側面における関連関係あるいは逆方向送信出力制御命令の側面における関連関係は、同一の関係識別子を有する順方向キャリアＣ（１９２５）と結ぶ。
【００７７】
ここで、前記関係識別子は、定められた規則によって決定される。例えば、キャリアを集約する制御メッセージに順方向キャリア関連情報と逆方向キャリア関連情報が収納された順序に従って関係識別子が割り当てられる。すなわち、制御メッセージに順方向キャリアのＸ関連情報、逆方向キャリアのＹ関連情報、順方向キャリアのＺ関連情報、逆方向キャリアのＷ関連情報の順に収納されれば、互いに隣接する順方向キャリアと逆方向キャリア、すなわち、順方向キャリアＸと逆方向キャリアＹ、順方向キャリアＺと逆方向キャリアＷが同一の関係識別子を有すると規則を定めることができる。あるいは、制御メッセージに順方向キャリア関連情報が収納された順序に従って、順方向キャリアに関係識別子が暗黙的に割り当てられ、逆方向キャリア関連情報が収納された順序に従って、逆方向キャリアに関係識別子が暗黙的に割り当てられるように規則を定める。このような場合、制御メッセージのｎ番目に関連情報が収納された順方向キャリアと、ｎ番目に関連情報が収納された逆方向キャリアに同一の関係識別子が暗黙的に割り当てられる。
【００７８】
また、前記制御メッセージが送受信される時点に既に使用中であるキャリア、例えば、キャリアＡ（１９１５）とキャリアＢ（１９２０）にも関係識別子が割り当てられることはもちろんである。キャリア集約動作は、一つの順方向キャリアと一つの逆方向キャリアを利用してデータを送受信した端末１９０５にキャリアが追加されながら始まる。キャリア集約動作が始まる前から使用されたキャリアをプライマリキャリアともいい、前記プライマリキャリアにも関係識別子を割り当てなければならない。本発明では、任意の端末１９０５にキャリア集約動作が始まる時、すなわち、プライマリキャリアだけで通信をした端末１９０５に新しいキャリアが集約される時、前記プライマリキャリアの関係識別子を明示的にシグナルする代わりに、予め定められた値を使用するようにする。前記予め定められた値は、例えば０であってもよい。前記プライマリキャリアは、今後プライマリキャリアの変更過程を経て非プライマリキャリア（端末１９０５に集約されたキャリアのうちプライマリキャリアではないキャリア）であってもよい。しかし、一度暗黙的に割り当てられた関係識別子は、プライマリキャリアの変更有無と関係なく維持される。言い換えれば、任意のキャリアの関係識別子が０であっても、前記キャリアが必ずプライマリキャリアとは限らない。
【００７９】
次に、端末１９０５は、１９５５ステップでキャリア１９１５，１９２０，１９２５，１９３０別の関係識別子、別にシグナルされた関係設定情報を使用して逆方向キャリア１９２０，１９３０と順方向キャリア１９１５，１９２５の間に所定の関連関係を設定する。前記明示的な関係設定情報は、別にシグナルされてもよく、シグナルされなくてもよい。明示的な関係設定情報が明示的にシグナルされなければ、全ての所定の関連関係は、関係識別子を通じて決定される。
【００８０】
図２０は、本発明の第５実施例に係る端末の動作を示す図である。
図２０を参照すれば、２００５ステップでキャリア集約を指示する制御メッセージを受信すれば、端末は、前記制御メッセージを遵守してキャリアを集約する。また、前記キャリアに割り当てられた関係識別子及び明示的な関係設定情報を認知する。このとき、前記明示的な関係設定情報は、あってもなくてもよい。そして、端末は、２０１０ステップで前記制御メッセージが送受信された順方向キャリア及び前記制御メッセージに対するＨＡＲＱフィードバックが送受信される逆方向キャリアに関係識別子が割り当てられているかを検査する。あるいは、端末は、前記制御メッセージを受信した時点にプライマリキャリア（端末に実際に集約されるのは、キャリアでなく、セルという側面でプライマリセルとも呼ぶ）に関係識別子が割り当てられているかを検査する。
【００８１】
仮に、前記制御メッセージを受信する前にキャリア集約動作が開始されなければ（前記制御メッセージを受信する前までは、プライマリキャリアのみが設定されていれば）、端末は、２０１０ステップで前記制御メッセージが受信された順方向キャリアと前記制御メッセージに対するＨＡＲＱフィードバックが送信された逆方向キャリアには、あるいは、順方向プライマリキャリアと逆方向プライマリキャリアには、未だ関係識別子が割り当てられていないので、２０１５ステップに進む。この後、端末は、２０１５ステップで前記順方向プライマリキャリアと逆方向プライマリキャリアに所定の関係識別子を暗黙的に割り当てる。このとき、前記所定の関係識別子は、最も低い識別子である０であってもよい。そして、端末は２０２０ステップに進む。
【００８２】
一方、２０１０ステップで前記制御メッセージが受信された順方向キャリアとＨＡＲＱフィードバックが送信された逆方向キャリアに、あるいは、順方向プライマリキャリアと逆方向プライマリキャリアに既に関係識別子が割り当てられていると確認されれば、端末は２０２０ステップに進む。
次に、端末は、２０２０ステップで明示的な関係設定情報が存在する関係に対しては、前記明示的に指示された関係を設定する。そして、端末は２０２５ステップに進んで、明示的な関係設定情報が存在しない残りの関係に対しては、同一の関係識別子を有する逆方向キャリアと順方向キャリアの間で関係を設定する。
【００８３】
上述したように動作するための本発明の実施例に係る端末装置の構造を説明すれば、次の通りである。
【００８４】
図２１は、本発明の第５実施例に係る端末装置の構造を示す図である。
図２１を参照すれば、端末装置は、送受信機２１０５、キャリア設定部２１１０、多重化及び逆多重化装置２１２０、制御メッセージ処理部２１３５、及び各種上位階層装置２１２５，２１３０等から構成される。
【００８５】
送受信機２１０５は、順方向キャリアでデータ及び所定の制御信号を受信し、逆方向キャリアでデータ及び所定の制御信号を送信する。多数のキャリアが集約された場合、送受信機２１０５は、前記多数のキャリアでデータの送受信及び制御信号の送受信を行う。
【００８６】
キャリア設定部２１１０は、制御メッセージ処理部２１３５から関係設定情報及び関係識別子を含むキャリア関連情報を受けて、キャリアを設定する。そして、キャリア設定部２１１０は、設定されたキャリアの関係識別子及び関係設定情報を参考にして逆方向キャリアと順方向キャリア間の所定の関連関係を設定する。
【００８７】
多重化及び逆多重化装置２１２０は、上位階層装置２１２５，２１３０や制御メッセージ処理部２１３５で発生したデータを多重化するか、送受信機２１０５で受信されたデータを逆多重化することにより、適切な上位階層装置２１２５，２１３０や制御メッセージ処理部２１３５に伝達する役割をする。
【００８８】
制御メッセージ処理部２１３５は、ネットワークが送信した制御メッセージを処理して必要な動作を取る。例えば、制御メッセージ処理部２１３５は、制御メッセージに収納されたキャリア関連情報をキャリア設定部２１１０に伝達する。
【００８９】
上位階層装置２１２５，２１３０は、サービス別に構成され、ＦＴＰやＶｏＩＰなどのようなユーザサービスで発生するデータを処理し、多重化及び逆多重化装置２１２０の多重化装置に伝達するか、多重化及び逆多重化装置２１２０の逆多重化装置が伝達したデータを処理して上位階層のサービスアプリケーションに伝達する。
【００９０】
＜第６実施例＞
本発明の第６実施例でＳＲＳ送信リソース割当は、ＲＲＣメッセージを通じて制御し、ＳＲＳ送受信の有無及び送信リソースの解除は、逆方向キャリアに関連する順方向キャリアの活性化状態を通じて制御する方法及び装置を提示する。
【００９１】
前記逆方向キャリアに関連する順方向キャリアとは、同一のＳＣｅｌｌに所属した逆方向キャリアと順方向キャリアをいう。ＳＣｅｌｌは、端末に集約された任意のセカンダリー順方向キャリア（あるいは、順方向送信リソース）と、前記順方向キャリアと所定の関係が設定されたセカンダリー逆方向キャリア（あるいは、逆方向送信リソース）との集合である。任意のＳＣｅｌｌの逆方向キャリアに対する逆方向送信リソースは、同一のＳＣｅｌｌの順方向キャリアでのみ割り当てられる。すなわち、任意のＳＣｅｌｌの順方向キャリアは、同一のＳＣｅｌｌの逆方向キャリアとスケジューリング観点で関連される。あるいは、キャリア設定過程で明示的な制御情報を通じてどの順方向キャリアがどの逆方向キャリアと同一のＳＣｅｌｌに属するかを設定する。本発明では、順方向キャリア状態制御メッセージを通じて任意のＳＣｅｌｌの順方向キャリアが活性化または非活性化されれば、該当ＳＣｅｌｌの逆方向キャリアに設定されたＳＲＳ送信を活性化または非活性化し、特に前記制御メッセージを通じて前記ＳＣｅｌｌの順方向キャリアが非活性化されて所定の条件が満たされる場合、前記ＳＣｅｌｌの逆方向キャリアに割り当てられたＳＲＳ送信リソースを解除する。
【００９２】
図２２は、本発明の第６実施例に係る全体動作を示す図である。
図２２を参照すれば、２２１５ステップで基地局２２１０が端末２２０５に任意のＳＣｅｌｌ、例えば、ＳＣｅｌｌ  ｘに対するＳＲＳリソースを割り当てる。前記送信リソースは、ＲＲＣ制御メッセージを通じて割り当てられる。
【００９３】
次に、２２２０ステップで端末は、前記ＳＲＳ送信リソースが割り当てられたＳＣｅｌｌが活性化状態であるかを検査する。前記ＳＣｅｌｌが活性化状態でなければ、端末２２０５は２２３０ステップに進んで、活性化状態であれば、端末２２０５は２２２５ステップに進む。上述したように、スケジューリング観点で関連する順方向キャリアが非活性化状態であれば、端末２２０５でＳＲＳ送信を行うことは意味がないので、前記２２２０ステップの判断過程は、ＳＲＳ送信が意味のある状況だけに行われるようにする。同一のＳＣｅｌｌに属する順方向キャリアと逆方向キャリアは、例外的な場合を除いては殆どスケジューリング観点で関連を有するので、ＳＣｅｌｌ  ｘが非活性化状態ということは、ＳＲＳ送信が意味がないことを意味し、ＳＣｅｌｌ  ｘが活性化状態ということは、ＳＲＳ送信を行わなければならないことを意味する。２２２５ステップで端末２２０５は、割り当てられたＳＲＳ送信リソースを利用してＳＲＳ送信を行う。そして、ＳＲＳ送信リソースを解除しなければならない事件が発生する前までは、ＳＲＳ送信を持続する。一方、２２３０ステップで端末２２０５は、ＳＣｅｌｌ  ｘが活性化する時までＳＲＳ送信を行わない。通常的に、ＳＣｅｌｌ  ｘに対するＳＲＳ送信リソースは、ＳＣｅｌｌ  ｘが非活性化状態であれば解除されるが、前記場合には、ＳＲＳ送信リソースが割り当てられた時点にＳＣｅｌｌ  ｘが非活性化状態であったので、端末２２０５は、ＳＲＳ送信リソースを解除せずに維持する。
【００９４】
次に、２２３５ステップで基地局２２１０からＳＣｅｌｌ  ｘを活性化させる制御メッセージを受信すれば、端末２２０５は、２２４０ステップに進んでＳＲＳ送信を開始する。この後、２２４５ステップで基地局２２１０からＳＣｅｌｌ  ｘを非活性化させる制御メッセージを受信すれば、端末２２０５は、２２５０ステップでＳＲＳ送信リソースを解除する。これは、ＳＲＳ送信リソースは制限されたリソースであり、非活性化状態でＳＲＳ送信リソースを任意の端末２２０５に続けて割り当てられた状態に置くことよりは、これを解除して他の端末（図示せず）に割り当てることがもっと効率的であるためである。
【００９５】
図２３は、本発明の第６実施例に係る端末の動作を示す図である。このとき、図２３は、ＳＲＳ送信の有無及びＳＲＳ送信リソース解除の有無を判断する端末の動作を示している。
【００９６】
図２３を参照すれば、２３０５ステップで任意のＳＣｅｌｌにＳＲＳリソースが割り当てられる。前記ＳＲＳリソースは、ＲＲＣ連結再設定（ＲＲＣ  ＣＯＮＮＥＣＴＩＯＮＲＥＣＯＮＦＩＧＵＲＡＴＩＯＮ）メッセージのような制御メッセージを通じて割り当てられる。
【００９７】
次に、２３１０ステップで前記ＳＲＳリソースが割り当てられた時点の以来、前記ＳＣｅｌｌを活性化状態で非活性化するように指示する順方向キャリア状態制御メッセージが最初に受信されたとすれば、端末は２３３０ステップに進んで、そうでなければ、２３１５ステップに進む。すなわち、前記ＳＣｅｌｌがＳＲＳリソースが割り当てられた時点に既に活性化状態であり、前記ＳＣｅｌｌを非活性化状態に遷移させる順方向キャリア状態制御メッセージを最初に受信すれば、端末は２３３０ステップに進む。または、前記ＳＣｅｌｌがＳＲＳリソースが割り当てられた時点に非活性化状態であり、前記ＳＣｅｌｌがその後に活性化状態に遷移して、再び非活性化状態に遷移させるキャリア状態制御メッセージを最初に受信すれば、端末は２３３０ステップに進む。言い換えれば、前記ＳＣｅｌｌの状態が活性化状態の状況で前記ＳＣｅｌｌの状態を非活性化状態に表示した順方向キャリア状態制御メッセージが最初に受信されたとすれば、端末は２３３０ステップに進んで、そうでなければ、端末は２３１５ステップに進む。この後、２３１５ステップで端末は、前記ＳＣｅｌｌのＳＲＳリソースを解除するＲＲＣ制御メッセージが受信されたかを検査する。仮に、前記ＳＣｅｌｌのＳＲＳリソースを解除するＲＲＣ制御メッセージが受信されれば、端末は２３３０ステップに進んで、そうでなければ、端末は２３２０ステップに進む。このとき、前記２３１０ステップと２３１５ステップの前後順序は、変わってもよい。すなわち、２３１５ステップが先に行われ、その後に２３１０ステップが行われてもよい。
【００９８】
次に、２３２０ステップに進んだことは、ＳＣｅｌｌ  ｘに割り当てられたＳＲＳ送信リソースが未だ解除されていないことを意味し、端末は、２３２０ステップでＳＣｅｌｌ  ｘが活性化状態であるかを検査する。仮に、活性化状態であれば、端末は２３２５ステップに進んで、前記ＳＣｅｌｌでＳＲＳ送信を行う。そして、端末は、２３１０ステップに回帰してＳＲＳ送信リソースの解除の有無を検査する。一方、２３３０ステップで端末は、ＳＲＳ送信リソースを解除して過程を終了する。
【００９９】
一方、本発明の第６実施例に係る端末装置は、図１７で提示された装置と下の事項を除けば一致する。すなわち、本実施例によれば、送受信制御及びキャリア活性化制御部は、任意のＳＣｅｌｌの活性化及び非活性化状態を参照して、該当ＳＣｅｌｌでＳＲＳ送信の有無及びＳＲＳ送信リソース解除の有無を判断する。そして、前記判断結果に応じてＳＲＳ送信及びＳＲＳ送信リソース解除を制御する。
【０１００】
一方、本明細書と図面に開示された本発明の実施例は、本発明の技術内容を容易に説明して本発明の理解を助けるために特定例を提示したものに過ぎず、本発明の範囲を限定するものではない。すなわち、本発明の技術的思想に基づいた他の変形例が実施可能であることは、本発明が属する技術分野で通常の知識を有する者に自明である。
【図１】
0006013567.tif 000002
【図２】
0006013567.tif 000003
【図３】
0006013567.tif 000004
【図４】
0006013567.tif 000005
【図５】
0006013567.tif 000006
【図６】
0006013567.tif 000007
【図７】
0006013567.tif 000008
【図８】
0006013567.tif 000009
【図９】
0006013567.tif 000010
【図１０】
0006013567.tif 000011
【図１１】
0006013567.tif 000012
【図１２】
0006013567.tif 000013
【図１３】
0006013567.tif 000014
【図１４】
0006013567.tif 000015
【図１５】
0006013567.tif 000016
【図１６】
0006013567.tif 000017
【図１７】
0006013567.tif 000018
【図１８】
0006013567.tif 000019
【図１９】
0006013567.tif 000020
【図２０】
0006013567.tif 000021
【図２１】
0006013567.tif 000022
【図２２】
0006013567.tif 000023
【図２３】
0006013567.tif 000024